(57)【要約】【課題】無駄毛処理を行う際に、無駄毛を見つけ易く、且つ無駄毛処理を行い易くするための無駄毛処理器具用鏡を提供する。【解決手段】鏡面１１と背面とを有し、背面から鏡面１１に向けて貫通して無駄毛処理器具が挿通される挿通部１３が形成された鏡本体１０を備え、無駄毛処理器具を挿通部１３に挿通したときに、無駄毛処理器具の先端部が挿通部１３から露出されて鏡本体１０の鏡面１１に無駄毛処理器具の先端部を映すことができる、無駄毛処理器具用鏡１。【選択図】図１
2017127465.tif 000002
【特許請求の範囲】
【請求項１】
鏡面と背面とを有し、前記背面から前記鏡面に向けて貫通して無駄毛処理器具が挿通される挿通部が形成された鏡本体を備え、
前記無駄毛処理器具を前記挿通部に挿通したときに、前記無駄毛処理器具の先端部が前記挿通部から露出されて前記鏡本体の前記鏡面に前記無駄毛処理器具の前記先端部を映すことができる無駄毛処理器具用鏡。
【請求項２】
前記鏡本体に連なり、前記無駄毛処理器具を所定の角度で回動可能に保持する回動角度調整部を更に備える請求項１に記載の無駄毛処理器具用鏡。
【請求項３】
前記回動角度調整部が、前記挿通部の内周に設けられた凹凸部または緩衝部材である請求項２に記載の無駄毛処理器具用鏡。
【請求項４】
前記回動角度調整部が、前記鏡本体に連なる角度調整構造を有するものである請求項２に記載の無駄毛処理器具用鏡。
【請求項５】
前記回動角度調整部は、前記挿通部に連なる位置に備えられ、且つ、前記無駄毛処理器具を挿通保持できる挿通具と、
前記挿通具を所定角度で回動可能に支持する支持部と、を備える請求項４に記載の無駄毛処理器具用鏡。
【請求項６】
前記無駄毛処理器具の前記先端部が前記挿通部を少なくともスライドできる請求項１〜５のいずれか１項に記載の無駄毛処理器具用鏡。
【請求項７】
請求項１〜６のいずれか１項に記載の無駄毛処理器具用鏡と、当該無駄毛処理器具用鏡に装着され、無駄毛処理をする無駄毛処理器具と、を備え、
前記無駄毛処理器具は、先端部と軸部とを有し、
前記無駄毛処理器具の前記先端部が、前記無駄毛処理器具用鏡の前記鏡本体の前記挿通部から露出した状態で前記無駄毛処理器具用鏡に保持される鏡付き無駄毛処理器具。
【請求項８】
前記無駄毛処理器具が、電動シェーバーである請求項７に記載の鏡付き無駄毛処理器具。
【請求項９】
前記無駄毛処理器具の少なくとも前記軸部の外周に、前記無駄毛処理器具を所定の角度で回動可能に保持する回動角度調整部である凹凸部または緩衝部材が設けられている請求項７または８に記載の鏡付き無駄毛処理器具。
【請求項１０】
前記無駄毛処理器具用鏡及び前記無駄毛処理器具の少なくとも一方に光源が備えられている請求項７〜９のいずれか１項に記載の鏡付き無駄毛処理器具。
【発明の詳細な説明】
【技術分野】
【０００１】
本発明は、無駄毛処理器具用鏡及び鏡付き無駄毛処理器具に関する。特に、鼻毛や耳毛などの無駄毛の処理を行う際に、無駄毛を見つけ易く、且つ無駄毛処理を行い易い無駄毛器具用鏡及び鏡付き無駄毛処理器具に関する。
【背景技術】
【０００２】
近年、清潔感を保ち、自分の印象を良く見せることに関心が持たれるようになっている。特に、無駄毛処理は、年齢、性別を問わず、重要な関心事の一つとなっていることが多く、無駄毛処理に関する多くの器具（毛抜きや電動シェーバーなど）が登場している。
【０００３】
たとえば、一般に市販されている毛抜きは、顔などの産毛、鼻毛、耳毛、脇の下の毛等の無駄毛処理に用いられている。また、電動シェーバーについても、顔などの産毛、鼻毛、耳毛、脇の下の毛等の様々な無駄毛処理に用いられるものが登場している。
【０００４】
しかし、鼻毛、耳毛、脇の下の毛等のような無駄毛は、直接視認できず、死角にある。そのため、これらの無駄毛を処理する際にその状態等を確認し難いという問題があった。更には、多くの場合、手鏡等を片手で持ちながら無駄毛処理を行うため、鼻毛、耳毛、脇の下の毛等のような無駄毛を処理することは難しいという状況であった。
【０００５】
無駄毛処理器具の例としては、無駄毛を反射させて使用者の視界に写し、いつでも何処でも容易に無駄毛の処置ができる鏡付き毛抜きが知られている（特許文献１）。また、無駄毛処理器具の別の例としては、種々の脱毛処理（たとえば、眉毛、鼻毛、脇の下の毛等の無駄毛の処理）が、使用者の思い通りに容易に且つスムーズに行える鏡付毛抜き具が知られている（特許文献２）。
【先行技術文献】
【特許文献】
【０００６】
【特許文献１】特開２０００−１６６６３６号公報
【特許文献２】実用新案登録第３０７７５０７号公報
【発明の概要】
【発明が解決しようとする課題】
【０００７】
しかし、特許文献１に記載の鏡付き毛抜きでは、毛抜きと鏡とが支柱を介して連結されているため、実際に、毛抜きを操作して無駄毛を抜く際に、毛抜きを掴んだ手（つまり、毛抜きを把持した手）が鏡に映り込み、毛抜きの先端及び無駄毛を鏡越しに視認することが難いという問題があった。さらに、毛抜きと鏡とが支柱を介して連結されているため、毛抜きのみ（鏡が連結されていないもの）で無駄毛を抜く際の操作性と比較すると、鏡付き毛抜きは、支柱及び鏡を備えることで重くなり、操作性が劣るという問題があった。特に、無駄毛は、直接視認することが難い部位にあるため、操作性の低下は使用者の負担となることがある。
【０００８】
特許文献２に記載の鏡付毛抜き具は、特許文献１に記載の鏡付き毛抜きと同様に、毛抜きを操作して無駄毛を抜く際に、毛抜きを掴んだ手が鏡に映り込み易いため、毛抜きの先端及び無駄毛を鏡越しに視認することが難しいという問題があった。さらに、毛抜きのみ（鏡が連結されていないもの）で無駄毛を抜く際の操作性と比較すると、鏡付毛抜き具は、操作性が劣り、使用者の負担となることがある。
【０００９】
本発明は、このような従来技術の有する問題点に鑑みてなされたものであり、その課題とするところは、鼻毛や耳毛などの無駄毛の処理を行う際に、無駄毛を見つけ易く、且つ無駄毛処理を行い易くするために用いられる無駄毛処理器具用鏡、及びこの鏡付きの鏡付き無駄毛処理器具を提供することにある。特に、使用者が、鏡を介して無駄毛を簡単に視認することができ、操作に負担なく無駄毛処理を行える無駄毛処理器具用鏡及び鏡付き無駄毛処理器具を提供することにある。
【課題を解決するための手段】
【００１０】
本発明によれば、以下に示す、無駄毛処理器具用鏡、及び鏡付き無駄毛処理器具が提供される。
【００１１】
［１］  鏡面と背面とを有し、前記背面から前記鏡面に向けて貫通して無駄毛処理器具が挿通される挿通部が形成された鏡本体を備え、前記無駄毛処理器具を前記挿通部に挿通したときに、前記無駄毛処理器具の先端部が前記挿通部から露出されて前記鏡本体の前記鏡面に前記無駄毛処理器具の前記先端部を映すことができる無駄毛処理器具用鏡。
【００１２】
［２］  前記鏡本体に連なり、前記無駄毛処理器具を所定の角度で回動可能に保持する回動角度調整部を更に備える［１］に記載の無駄毛処理器具用鏡。
【００１３】
［３］  前記回動角度調整部が、前記挿通部の内周に設けられた凹凸部または緩衝部材である［２］に記載の無駄毛処理器具用鏡。
【００１４】
［４］  前記回動角度調整部が、前記鏡本体に連なる角度調整構造を有するものである［２］に記載の無駄毛処理器具用鏡。
【００１５】
［５］  前記回動角度調整部は、前記挿通部に連なる位置に備えられ、且つ、前記無駄毛処理器具を挿通保持できる挿通具と、前記挿通具を所定角度で回動可能に支持する支持部と、を備える［４］に記載の無駄毛処理器具用鏡。
【００１６】
［６］  前記無駄毛処理器具の前記先端部が前記挿通部を少なくともスライドできる［１］〜［５］のいずれかに記載の無駄毛処理器具用鏡。
【００１７】
［７］  ［１］〜［６］のいずれかに記載の無駄毛処理器具用鏡と、当該無駄毛処理器具用鏡に装着され、無駄毛処理をする無駄毛処理器具と、を備え、前記無駄毛処理器具は、先端部と軸部とを有し、前記無駄毛処理器具の前記先端部が、前記無駄毛処理器具用鏡の前記鏡本体の前記挿通部から露出した状態で前記無駄毛処理器具用鏡に保持される鏡付き無駄毛処理器具。
【００１８】
［８］  前記無駄毛処理器具が、電動シェーバーである［７］に記載の鏡付き無駄毛処理器具。
【００１９】
［９］  前記無駄毛処理器具の少なくとも前記軸部の外周に、前記無駄毛処理器具を所定の角度で回動可能に保持する回動角度調整部である凹凸部または緩衝部材が設けられている［７］または［８］に記載の鏡付き無駄毛処理器具。
【００２０】
［１０］  前記無駄毛処理器具用鏡及び前記無駄毛処理器具の少なくとも一方に光源が備えられている［７］〜［９］のいずれかに記載の鏡付き無駄毛処理器具。
【発明の効果】
【００２１】
本発明の無駄毛処理器具用鏡は、無駄毛処理を行う際に、鼻毛や耳毛などの無駄毛を見つけやすく、且つ無駄毛処理を行い易くするために用いられるものである。特に、本発明の無駄毛処理器具用鏡は、使用者が、鏡を介して無駄毛を簡単に視認することができ、操作に負担なく無駄毛処理を行うために用いられるものである。
【００２２】
本発明の鏡付き無駄毛処理器具は、鼻毛や耳毛などの無駄毛処理を行う際に、無駄毛を見つけやすく、且つ無駄毛処理を行い易い。特に、本発明の鏡付き無駄毛処理器具は、使用者が、鏡を介して無駄毛を簡単に視認することができ、操作に負担なく無駄毛処理を行うことができる。
【図面の簡単な説明】
【００２３】
【図１】本発明の無駄毛処理器具用鏡の一の実施形態を模式的に示す正面図である。
【図２】本発明の無駄毛処理器具用鏡の一の実施形態を模式的に示す斜視図である。
【図３】本発明の無駄毛処理器具用鏡の他の実施形態を模式的に示す斜視図である。
【図４】本発明の無駄毛処理器具用鏡の他の実施形態を模式的に示す正面図である。
【図５】本発明の無駄毛処理器具用鏡の他の実施形態を模式的に示す側面図である。
【図６】本発明の鏡付き無駄毛処理器具の更に他の実施形態を模式的に示す斜視図である。
【図７】本発明の鏡付き無駄毛処理器具の更に他の実施形態を模式的に示す斜視図である。
【図８】本発明の無駄毛処理器具用鏡の更に他の実施形態を模式的に示す斜視図である。
【図９】本発明の無駄毛処理器具用鏡の更に他の実施形態を模式的に示す正面図である。
【図１０】本発明の無駄毛処理器具用鏡の更に他の実施形態を模式的に示す正面図である。
【図１１】本発明の鏡付き無駄毛処理器具の更に他の実施形態における無駄毛処理器具を模式的に示す斜視図である。
【図１２】本発明の鏡付き無駄毛処理器具の更に他の実施形態における無駄毛処理器具を模式的に示す斜視図である。
【図１３】本発明の鏡付き無駄毛処理器具の更に他の実施形態における無駄毛処理器具を模式的に示す斜視図である。
【図１４】本発明の鏡付き無駄毛処理器具の更に他の実施形態における無駄毛処理器具を模式的に示す斜視図である。
【図１５】本発明の鏡付き無駄毛処理器具の更に他の実施形態における無駄毛処理器具を模式的に示す斜視図である。
【発明を実施するための形態】
【００２４】
以下、本発明の実施の形態について説明するが、本発明は以下の実施の形態に限定されるものではなく、本発明の趣旨を逸脱しない範囲で、当業者の通常の知識に基づいて、以下の実施の形態に対し適宜変更、改良等が加えられたものも本発明の範囲に入ることが理解されるべきである。
【００２５】
［１］無駄毛処理器具用鏡：
本発明の無駄毛処理器具用鏡の一の実施形態は、図１、図２に示される無駄毛処理器具用鏡１である。この無駄毛処理器具用鏡１は、鏡面１１と背面１２とを有し、背面１２から鏡面１１に向けて貫通して無駄毛処理器具１２０（図６，図７など参照）が挿通される挿通部１３が形成された鏡本体１０を備えるものである。そして、この無駄毛処理器具用鏡１は、無駄毛処理器具１２０を挿通部１３に挿通したときに、無駄毛処理器具１２０の先端部が挿通部１３から露出されて鏡本体１０の鏡面１１に無駄毛処理器具１２０の先端部を映すことができる。
【００２６】
このような無駄毛処理器具用鏡は、無駄毛処理を行う際に、目視し難い無駄毛（すなわち、身体の死角に生えている無駄毛）について鏡面を介して見つけ易くなる。さらに、無駄毛処理器具用鏡に無駄毛処理器具を装着した際には、無駄毛処理器具用鏡と無駄毛処理器具とが一体となるので操作しやすく無駄毛を簡単に処理することができる。特に、後述するように、無駄毛処理器具の軸部に無駄毛処理器具用鏡が装着されるため、使用者が鏡に映った無駄毛を視認しながら、操作の負担を感じることなく無駄毛処理を行うことができる。
【００２７】
［１−１］鏡本体：
鏡本体１０は、図１、図２に示されるように、鏡面１１と背面１２とを有し、背面１２から鏡面１１に向けて貫通して無駄毛処理器具１２０（図６，図７など参照）が挿通される挿通部１３が形成されている。「鏡面」とは、鏡の面を意味し、鏡面加工されている面も広く含まれる。すなわち、当該鏡面は、光が反射して物が映るように鏡面加工して成形されたものでも良く、具体的には、鏡を採用することができる。「背面」とは、上記鏡面の後ろ側の面を意味する。「挿通部」とは、上記「背面」から上記「鏡面」まで貫通し、無駄毛処理器具が挿通する（すなわち、挿し通す）ことができるものであればよい。たとえば、当該挿通部としては、背面から鏡面までの鏡本体の厚さ方向に向けて貫通した孔であってもよいし、背面から鏡面までの鏡本体の厚さ方向に向けて形成された溝であってもよい。
【００２８】
なお、上記「孔」の形状は、特に限定されるものではなく、図４で示されるような平面視で縦長状（レーストラック形状）のもの、図１で示されるような平面視で円形状のもの、平面視で楕円形状のもの、平面視で矩形状などの多角形状のもの等であってもよい。同様に、上記「溝」の形状は、特に限定されるものではなく、平面視で縦長状（Ｕ字状）のもの、平面視で半円形状のもの、平面視でコの字状などの多角形状等であってもよい。なお、「平面視」とは、鏡面に直交する方向から鏡面を見たときを意味する。
【００２９】
鏡本体、鏡面の大きさ（寸法）や、鏡本体（鏡面）の輪郭形状等は、特に限定されるものではない。ただし、無駄毛処理器具を装着した際に、無駄毛処理器具の操作性や無駄毛の視認性（鏡面に映った際の見易さ等）を確保できる形状、大きさ等であることがよい。たとえば、円形状、四角形状、楕円形状等を挙げることができる。さらに、挿通部の形状（貫通方向に直交する断面における形状）、大きさ等についても特に限定されるものではないが、少なくとも、無駄毛処理器具の刃部（たとえば、図６の刃部１２０ｃ）を含めた先端部（たとえば、図６の先端部１２０ａ）、当該先端部の近傍の軸部（たとえば、図１１の軸部１２０ｂ）を挿通できる形状、大きさとすることがよい。さらに、無駄毛処理器具を装着した際に、無駄毛処理器具と一体となって操作し易い形状や大きさであることや、後述する角度調整がし易い形状や大きさであることがよい。
【００３０】
鏡本体の材質は、特に限定されるものではない。無駄毛処理器具用鏡の操作性をよくするという観点からは、軽量な材質を採用することができる。鏡本体の材質としては、たとえば、合成樹脂、アルミニウム等を挙げることができる。
【００３１】
［１−２］回動角度調整部：
本発明の無駄毛処理器具用鏡は、鏡本体に連なり、無駄毛処理器具を所定の角度で回動可能に保持する回動角度調整部を更に備えることができる。図３〜図５に示される無駄毛処理器具用鏡１００は、鏡本体１０に連なり且つ無駄毛処理器具１２０が鏡本体１０の挿通部１３に装着された際に（図６，図７参照）、無駄毛処理器具１２０の先端部１２０ａ（図６，図７など参照）が挿通部１３から露出されるとともに無駄毛処理器具１２０を所定の角度で回動可能に保持する回動角度調整部２０を備えるものである。この無駄毛処理器具用鏡１００は、無駄毛処理器具１２０を回動角度調整部２０に保持させたときに、鏡本体１０の鏡面１１に無駄毛処理器具１２０の先端部１２０ａを映すことができる。
【００３２】
このように回動角度調整部を更に備え、無駄毛処理器具の所定の箇所が露出し、且つ、回動可能であるように構成されることにより、無駄毛処理器具用鏡によって簡単に視認できる無駄毛の範囲が広くなる。そのため、本発明の無駄毛処理器具用鏡を用いることで、直接視認し難い部分にある無駄毛であっても確実に発見することができ、処理の操作も容易となる。このようなことから、無駄毛を確実に処理することができる。これに対して、無駄毛処理器具の先端部が露出しない場合、又は、無駄毛処理器具の先端部が露出し難い場合には、無駄毛処理を行う際の状態を鏡に映せないか、或いは、無駄毛処理を行う（無駄毛を切断する）際の状態を鏡面に映し難くなる。
【００３３】
また、無駄毛処理器具が回動しない場合、つまり、鏡の位置は維持しつつ、無駄毛処理器具のみを回動させられない場合、無駄毛を鏡に映しながら同時に無駄毛を切断する作業がし難くなる。更には、無駄毛を視認できる範囲が狭くなるため、作業効率が低下するだけでなく、確実な無駄毛処理を行い難くなる。なお、「視認できる無駄毛の範囲が広くなる」ことは、一度に鏡に映る範囲が広くなること（すなわち、一度に鏡に映る無駄毛の本数が増えること）を意味するものではなく、鏡の角度を変えることができるため、鏡の角度を微調整して、実質的に見えない範囲を無くすこと（つまり死角が無くなること）を意味する。
【００３４】
ここで、「鏡本体に連なり」とは、「回動角度調整部」が、鏡本体の背面側に連なるように形成されることを意味する。ただし、「回動角度調整部」が、後述のように挿通部の内周、或いは挿通部の周辺に形成される場合においても、「回動角度調整部」が「鏡本体に連なる」ことに含まれる。すなわち、鏡面側に形成される場合には、鏡面に無駄毛処理器具が映し難くなる。そのため、上記趣旨は、少なくとも鏡面側ではなく、背面側に当該「回動角度調整部」が形成されることにある。
【００３５】
上記「無駄毛処理器具が鏡本体の挿通部に装着された際」とは、無駄毛処理器具が鏡本体の背面から鏡面に向けて挿通され、当該無駄毛処理器具が当該無駄毛処理器具用鏡に取り付けられた際ということを意味する。
【００３６】
また、上記「無駄毛処理器具の先端部が挿通部から露出される」とは、無駄毛処理器具が当該無駄毛処理器具用鏡に取り付けられた際に、無駄毛処理器具の先端部が、挿通部から突出されることを意味する。このような状態にできると、無駄毛処理器具の先端部及び無駄毛が鏡面に映り易くなる。
【００３７】
なお、上記「先端部」は、無駄毛処理器具の先端部分に限らず、無駄毛処理器具の軸部との境界から先端部分の先端側方向までの領域を意味する。具体的には、たとえば、図１１では、無駄毛処理器具１２０の先端部分は、刃部１２０ｃが設けられている箇所の近傍の頭頂部１２０ｄとなるが、当該頭頂部１２０ｄのみならず、当該頭頂部１２０ｄの近傍の箇所であって、刃部１２０ｃを含んだ部分についても先端部１２０ａとなる。
【００３８】
上記「無駄毛処理器具を『所定の角度』で回動可能に保持する」とは、無駄毛処理器具（無駄毛処理器具の先端部）が、挿通部に対して上下左右に自由に動き、上下左右に動いた際に、挿通部から無駄毛処理器具が意図せず脱落しないように挿通状態を維持することを意味する。なお、「保持」は、無駄毛処理器具が脱着可能な程度の保持を意味する。
【００３９】
ここで、「回動」がどのように行われるかについては、基本的には、上記「回動角度調整部２０」と「挿通部１３」の関係によることとなる。たとえば、挿通部が孔である場合には、少なくとも孔の形状に沿って無駄毛処理器具の先端部が動くことができる。より具体的には、挿通部が、平面視で縦長状の孔として形成される場合には（図４参照）、その縦長形状に沿って、無駄毛処理器具の先端部が動くことになる。その他の孔の形状についても、その孔の形状に応じて、無駄毛処理器具の先端部が動くことができる。同様に、挿通部が溝である場合においても、少なくとも溝の形状に沿って無駄毛処理器具の先端部が動くことができる。なお、後述する「挿通具」或いは「緩衝部材」等を設ける場合には、上記の例の他に、回動する方向のバリエーションが増える。
【００４０】
回動角度調整部は、具体的には、挿通部の内周に設けられた凹凸部または緩衝部材とすることができる。このように回動角度調整部が凹凸部または緩衝部材である場合、無駄毛処理器具としては、従来公知のものをそのまま使用してもよいが、回動角度調整部として凹凸部が形成されている場合には、無駄毛処理器具の軸部外周部分に、上記挿通部の内周に設けられた凹凸部に対応する凹凸部が設けられていることがよい（図１１〜図１５参照）。このような構成とすることで、無駄毛処理器具用鏡からの無駄毛処理器具の意図しない脱落防止や、無駄毛処理器具の使用中に、鏡に映る範囲が意図せずに変更されてしまうことを防止できる。すなわち、無駄毛処理器具用鏡と、無駄毛処理器具のフィット性を向上させることで一体的な操作を確保できることから、互いが組み合わさることで保持力が増すものとすることができる。なお、凹凸部の材質は、後述するように緩衝部材を採用してもよいし、剛性の樹脂、金属などであってもよい。
【００４１】
回動角度調整部は、上述の通り、挿通部の内周に設けられた緩衝部材であってもよい。この緩衝部材は、使用者が無駄毛処理器具または無駄毛処理器具用鏡に外力を加えると、変形するような材質からなり、且つ、無駄毛処理器具及び無駄毛処理器具用鏡との摩擦抵抗が大きいものである。このように無駄毛処理器具及び無駄毛処理器具用鏡との摩擦抵抗が大きいため、使用者が無駄毛処理器具または無駄毛処理器具用鏡に外力を加えると、変形した後、無駄毛処理器具と無駄毛処理器具用鏡との位置関係を維持することができる。このように緩衝部材は、無駄毛処理器具と無駄毛処理器具用鏡との関係における緩衝的な役割を有している。
【００４２】
緩衝部材は、緩衝的な役割の他に、干渉部材としての役割も有している。このような干渉部材としての役割も有することで、無駄毛処理器具用鏡からの無駄毛処理器具の意図しない脱落防止や、無駄毛処理器具の使用中に、鏡に映る範囲が意図せずに変更されることを防止することができる。すなわち、緩衝部材は、無駄毛処理器具用鏡と、無駄毛処理器具のフィット性を向上させることで一体的な操作を確保できることから、互いが組み合われることで保持力が増すものとすることができる。
【００４３】
さらに、無駄毛処理器具用鏡において挿通部の内周に緩衝部材が設けられていることが好ましく、無駄毛処理器具において、当該無駄毛処理器具の軸部外周部分に緩衝部材が設けられていることが好ましい。このように構成されることにより、脱着時或いは回動時に、シェーバー、特にシェーバーの軸部を傷めずに済むことができる。加えて、シェーバー、特にシェーバーの軸部と挿通部が一体的となるため、保持性が向上させやすくすることができる。さらに、緩衝部材を挿通部の内周に設けることにより、シェーバーの回動やスライドを調節させやすくすることができる。
【００４４】
緩衝部材としては、特に限定されるものではないが、ゴム、シリコン、発泡素材などの樹脂、金属、木材等の弾性部材を例示できる。
【００４５】
緩衝部材の形状は、特に制限はなく、単なる円筒形状、外周面に凹凸が形成された円筒形状などとすることができる。
【００４６】
なお、無駄毛処理器具用鏡は、挿通部の内周に凹凸部または緩衝部材を設ける代わりに、たとえば図１０に示される無駄毛処理器具用鏡１０２のように、ヒダ部３２又は突起部を設けてもよい。或いは、挿通部を被覆するような膜を形成し、中央で交差するようにスリットを入れてもよい。このように構成されることにより、挿通部に無駄毛処理器具を挿通する際に、ヒダ部３２、突起部、膜が、無駄毛処理器具の軸部と接触し、保持を容易にすると共に、所定角度の回動を調節し易くなる。さらに、外周に凹凸部又は緩衝部材を設けた無駄毛処理器具と併用することにより、更に保持を容易にするだけでなく、所定角度の回動を調節し易くなる。なお、上記ヒダ部、突起部、膜の寸法、形状は、特に限定されるものではなく、挿通部の寸法、形状に応じて適宜形成することができる。さらに、ヒダ部、突起部、膜の材質は、特に限定されるものではないが、ゴムなどの弾性部材等から形成することができる。
【００４７】
さらに、回動角度調整部の別の態様としては、鏡本体に連なる角度調整構造を有するものであってもよい。具体的には、図３、図６、図７に示される回動角度調整部２０のように、鏡本体１０に連なる角度調整構造を有するものとすることができる。この回動角度調整部２０は、挿通部１３に連なる位置に備えられ、且つ、無駄毛処理器具１２０を挿通保持できる挿通具２１と、当該挿通具２１を所定の角度で回動可能に支持する支持部２２と、を備えている。このように構成されることで、無駄毛処理器具１２０が回動し易くなり、無駄毛処理器具１２０の操作性を向上させることができる。すなわち、無駄毛処理器具１２０が回動し易くなることで、無駄毛処理器具用鏡に映せる無駄毛の範囲を広くすることができる。つまり、死角にある無駄毛を無くすことができる。さらに、無駄毛処理器具用鏡１００に映せる無駄毛の範囲が広くなることから、無駄毛処理の作業効率を向上させることができる。
【００４８】
「回動角度調整部は、挿通部に連なる位置に備えられ」とは、「回動角度調整部」が、挿通部に連なるように少なくとも背面側に形成されることを意味する。
【００４９】
「無駄毛処理器具を挿通保持できる挿通具」とは、挿通部とは別に設けられる部材であって、無駄毛処理器具を挿通してその内側に保持できる部材を意味する。当該挿通具を設けることにより、無駄毛処理器具を無駄毛処理器具用鏡に装着した際に、当該無駄毛処理器具は、少なくとも挿通部と挿通具の２箇所に挿通されることになる。
【００５０】
「挿通具を所定角度で回動可能に支持する支持部」とは、上記挿通具を所定の角度で回動可能にしながら、無駄毛処理器具用鏡の鏡本体から挿通具が脱落しないように支え持つ部材である。なお、当該「保持」は、無駄毛処理器具が脱着可能な程度の保持を意味する。
【００５１】
挿通具の形状、寸法は、その機能を維持できるものであれば特に限定されるものではない。たとえば、筒状形状、リング状形状などとすることができる。挿通具の材質は、特に限定されるものではないが、回動性や操作性等を向上させるという観点から、軽量であるものがよい。たとえば、合成樹脂、アルミニウムなどの金属、シリコン、ゴム、木材等を挙げることができる。
【００５２】
鏡本体に連なる角度調整構造を有する回動角度調整部としては、具体的には、図３、図６、図７に示される無駄毛処理器具用鏡１００の回動角度調整部２０を挙げることができる。ここで、無駄毛処理器具用鏡１００は、鏡面１１と背面１２を有する鏡本体１０の中央に孔である挿通部１３が形成されている。挿通部１３の背面１２側の近傍には、支持部２２が設けられている。すなわち、この支持部２２は、挿通部１３の深さ方向（鏡面から背面までの方向）に対して直交する方向に、支持部凸部２２ａが形成されている。さらに、この支持部凸部２２ａの中央には、支持部凹部（不図示）が形成されている。そして、円筒状の挿通具２１が支持部２２の中央に位置するように設けられると共に、挿通具２１の外周には、凸状の挿通具凸部（不図示）が形成されている。そして、この挿通具凸部が支持部凸部２２ａの支持部凹部に挿入され挿通具２１の上下の回動を可能にするよう構成されている。このようにして、図３、図６、図７に示される無駄毛処理器具用鏡１００では、回動角度調整部２０は、挿通具２１と支持部２２により構成されている。
【００５３】
なお、無駄毛処理器具１２０は、挿通具２１に挿通されるとともに、挿通部１３に挿通されることで、挿通具２１に保持され、挿通具２１の回動により、たとえば上下に動くことが可能となる。図３、図６、図７に示される無駄毛処理器具用鏡１００では、挿通具２１は筒状部材から構成されている。そのため、無駄毛処理器具１２０の先端部１２０ａ及び軸部１２０ｂが、挿通具２１内を断面視で円形状に沿って回動できるようになっている。そのため、無駄毛処理器具１２０は、挿通具２１内を筒形状に沿って３６０°回転できるようになっている。一方、図３、図６、図７に示される例では、挿通具２１から露出した無駄毛処理器具１２０の先端部１２０ａは、挿通部１３の上下端で回動が制御される。このように無駄毛処理器具の上下動の制御される範囲がこの例では所定角度となる。
【００５４】
なお、回動角度調整部は、図３、図６、図７に示された回動角度調整部２０に限定されるものではなく、本発明の機能及び効果を発揮できるものであれば、当該回動角度調整部に広く含まれる。また、支持部２２が、図３、図６、図７で示される挿通部１３の深さ方向（鏡面から背面までの方向）に対して直交する方向に形成された支持部凸部２２ａの代わりに、その形状を凹部状に形成してもよい。同様に、当該支持部凸部の中央に形成されている支持部凹部の代わりに、その形状を凸部状に形成してもよい。さらに、円筒状の挿通具の代わりに、リング状（環状）の挿通具であってもよい。また、挿通具は、平面視で縦長形状のものの他、平面視で円形状のもの、平面視で楕円形状のもの、平面視で矩形状などの多角形状のもの等であってもよい。
【００５５】
回動角度調整部は、挿通具の外周に形成される挿通具凸部が、凹部状に形成されていてもよい。また、挿通具の回動が上下方向に動くものでなく、左右方向、斜め方向、３６０°に回動するものでもよいし、それらの組み合わせ方向に回動するものでもよい。
【００５６】
さらに、「回動角度調整部」の別の例としては、図８、図９に示されるように、所謂ボールジョイント構造状に形成されている回動角度調整部３０を挙げることができる。図８、図９は、回動角度調整部３０を備える無駄毛処理器具用鏡１１０を示している。具体的には、当該無駄毛処理器具用鏡１１０の回動角度調整部３０は、背面１２から鏡面１１方向へ向けた深さ方向の中央の位置にあって、上記背面１２方向から鏡面１１方向への深さ方向に直交する方向において、鏡面１１側方向から見た挿通部１３の径よりも、少なくとも一回り大きい溝として挿通部内周溝（不図示）が形成されている。別言すれば、背面から鏡面方向へ向けた挿通部の深さ方向の中央の内周（内壁）に、溝が形成されている。さらに、挿通具３１が上記溝の幅及び深さよりも小さい凸部３１ａが、挿通具３１の周上に形成され、挿通部１３の上記溝内に可動自在に装着されている。このように形成されることで、無駄毛処理器具用鏡１００の回動角度調整部３０では、まず、溝の幅及び溝の深さに対して凸部３１ａが小さいため、上下左右に自在に動かすことができるようになっている。さらに、溝の形状に沿って挿通具が時計周り方向に及び半時計回り方向のいずれにも、すなわち、３６０°回転できるようになっている。このようにして、挿通具を回動させることができるようになっている。そのため、無駄毛処理器具用鏡１１０は、上述した回動角度調整部２０を備える無駄毛処理器具用鏡１００よりも、回動する範囲が狭くなっているが、操作性を向上させるものとなっている。なお、回動角度調整部３０を備える場合において、上下左右に動かすといった意味での回動する所定の角度は、この回動角度調整部３０においても、上記回動角度調整部２０と同様に、挿通部１３の形状と、無駄毛処理器具の先端部１２０ａ及び軸部１２０ｂの形状、寸法等に応じたものとなる。
【００５７】
なお、所謂ボールジョイント構造状に形成されている回動角度調整部は、図８、図９に示されたものに限定されるものではなく、本発明の機能及び効果を発揮できるものであれば、回動角度調整部３０に広く含まれる。たとえば、挿通部内周溝の代わりに、挿通部の内周（内壁）を凸部状に形成してもよいし、凸部を連続的に形成するのではなく、少なくとも２つ以上といった複数個所に形成してもよいし、さらには、断続的に形成してもよい。また、当該凸部状に形成した挿通部の内周に対応するように、挿通具の外周に溝を形成してもよい。なお、上記挿通部は、図９では、挿通具３１の先端部３１ｂが、鏡面と同一面上に位置すること（所謂面一）にならず、鏡面側からの平面視した際に鏡面１１と先端部３１ｂが段差を有する構成になっているが、この例に限らず、鏡面と同一面上に位置するように配置されてもよい。
【００５８】
さらに、挿通具は、無駄毛処理器具用鏡から脱着可能に形成されることが好ましい。上述のように、挿通具を回動させることから、仮に挿通具の不具合が生じても交換可能であると利便性が向上する。さらに、径（無駄毛処理器具を挿通させる箇所の寸法）が異なる挿通具を複数用意して、軸部が異なる複数の無駄毛処理器具に対応できるものも好ましい。このようにすることで、無駄毛処理器具用鏡に装着させる無駄毛処理器具は、特に限定されずにどのようなものであってもよく、市販されているものを広く用いることができることになる。ただし、好ましくは、後述する本発明の無駄毛処理器具である。
【００５９】
［２］鏡付き無駄毛処理器具：
本発明の鏡付き無駄毛処理器具の一の実施形態は、図６、図７に示される鏡付き無駄毛処理器具２００である。この鏡付き無駄毛処理器具２００は、これまで説明した無駄毛処理器具用鏡１００と、この無駄毛処理器具用鏡１００に装着して無駄毛処理ができる無駄毛処理器具１２０と、を備え、無駄毛処理器具１２０は、先端部１２０ａと軸部１２０ｂを有し、無駄毛処理器具１２０の先端部１２０ａが無駄毛処理器具用鏡１００の鏡本体１０の挿通部１３から露出した状態で無駄毛処理器具用鏡１００の回動角度調整部２０に保持される。
【００６０】
上記「先端部」とは、無駄毛処理器具の先端部分のみに限定されるものではなく、無駄毛処理器具の先端、頭頂部を含めた先端側方向を意味する。たとえば、鼻毛を処理する際には、無駄毛処理器具は鼻孔に挿入される。そのため、無駄毛処理器具の先端のみが鏡本体の鏡面に映る場合だけでは、視野が狭くなるため、当該先端のみならず、図１１等に示される刃部、頭頂部等を含めた先端部といった、所定領域が見えるようにしてある。
【００６１】
「無駄毛処理器具用鏡の鏡本体の挿通部から露出した状態」とは、無駄毛処理器具が当該無駄毛処理器具用鏡に取り付けられた際に、無駄毛処理器具の先端部が、挿通部から突出している状態を意味している。このような状態にあると、無駄毛処理器具の先端部、及び無駄毛が、鏡面に映り易くなる。
【００６２】
「無駄毛処理器具用鏡の回動角度調整部に保持される」とは、無駄毛処理器具が、無駄毛処理器具が意図せずに脱落しないように回動角度調整部に挿通状態を保ち続けることを意味する。なお、当該「保持」は、無駄毛処理器具が脱着可能な程度の保持を意味する。また、これまで説明した無駄毛処理器具用鏡については、無駄毛処理器具用鏡を参照されたい。
【００６３】
［２−１］無駄毛処理器具：
本発明の無駄毛処理器具としては、毛抜き、電動シェーバー（以下、単に「シェーバー」と記す場合がある）などを挙げることができる。さらに、この電動シェーバーには、鼻毛用シェーバー、うぶ毛用シェーバー、腋の下の毛用シェーバー、耳毛用シェーバー、それらの用途を兼ねるシェーバー等を挙げることができる。本発明の無駄毛処理器具としては、レーザー照射可能なものであり、レーザーによって無駄毛を処理（切断等）するものであってもよい。
【００６４】
無駄毛処理器具は、電動シェーバーであることが好ましい形態の一つである。毛抜きに比べて、作業性等がよく、取扱いし易いためである。電動シェーバーとしては、持ち手１２０ｅと、この持ち手１２０ｅに連なる軸部１２０ｂ、さらに、軸部１２０ｂに連なり持ち手と反対側の先端に（先端部に）、刃部１２０ｃが形成されるものを挙げることができる。上記刃部１２０ｃは、スイッチを入れた際に、刃部１２０ｃが作動し、スイッチをオフにした際に、刃部１２０ｃの作動が止まるものであればよい。この点で市販の電動シェーバーと同様の構成となっている。ただし、この例に限定されるものではない。たとえば、側面に刃部を備えるものに限らず、外刃と内刃を備える頭頂部を有するものであってもよい。なお、本発明の鏡付き無駄毛処理器具における、無駄毛処理器具が電動シェーバーである場合には、その軸部の構成についてはいくつかのバリエーションを有するが、この点については後述する。
【００６５】
無駄毛処理器具は、その軸部外周部分に、無駄毛処理器具用鏡の回動角度を自在に調整するための凹凸部が配設されていてもよい。つまり、この凹凸部が配設された無駄毛処理器具を、無駄毛処理器具用鏡の挿通部に挿入すると、無駄毛処理器具用鏡からの無駄毛処理器具の意図しない脱落防止や、無駄毛処理器具の使用中に、鏡に映る範囲が意図せずに変更されてしまうことを防止できる。
【００６６】
なお、凹凸部が配設された無駄毛処理器具を用いる場合、無駄毛処理器具用鏡は、回動角度調整部（たとえば、無駄毛処理器具に設けられた凹凸部に対応する凹凸部）を備えていてもよいし、回動角度調整部を備えていなくてもよい。
【００６７】
凹凸部の材質としては、シリコン、ゴム材料などを挙げることができる。このような材質を採用することにより、凹凸部が適度に変形しながら無駄毛処理器具用鏡に無駄毛処理器具を保持させることができ、更に、無駄毛処理器具用鏡の回動角度を自在に調整し易くなる。
【００６８】
凹凸部が配設された無駄毛処理器具としては、図１１〜図１５に示される無駄毛処理器具を例示することができる。
【００６９】
［３］無駄毛処理器具用鏡と無駄毛処理器具（鏡付き無駄毛処理器具における無駄毛処理器具）との関係：
無駄毛処理器具用鏡と、無駄毛処理器具（鏡付き無駄毛処理器具における無駄毛処理器具）とは、前述のように、無駄毛処理器具を回動角度調整部に保持させたときに、鏡本体の鏡面に無駄毛処理器具の先端部を映すことができるように構成されている。
【００７０】
無駄毛処理器具用鏡は、無駄毛処理器具の先端部が挿通部を少なくともスライドできることが好ましい。このように構成されることにより、無駄毛の位置に応じて、無駄毛処理器具用鏡、及び無駄毛処理器具の位置関係を調節できる。そのため、視認できる範囲を広くとることができ、更に、作業効率を向上させることができる。なお、「少なくとも」とは、先端部のみならず、軸部までもがスライドできるように構成されてもよいことを意味する。
【００７１】
具体的には、図６、図７に示される鏡付き無駄毛処理器具２００では、鏡面１１から、露出させた無駄毛処理器具１２０の先端部１２０ａの位置（距離）を変えることができるように構成されている。別言すれば、露出させる無駄毛処理器具の先端部までの長さを変更するように、無駄毛処理器具１２０の先端部１２０ａが挿通部１３をスライドできるように構成されている。このように構成されることで、無駄毛を見つけ易くなり、且つ、無駄毛を確実に処理できるようになる。
【００７２】
さらに、無駄毛処理器具用鏡に回動角度調整部として挿通部の内周に凹凸部が形成されている場合には、無駄毛処理器具において、当該無駄毛処理器具の軸部外周部分に、上記挿通部の内周に設けられた凹凸部に対応する凹凸部が設けることができる。このような構成とすることで、無駄毛処理器具用鏡からの無駄毛処理器具の意図しない脱落防止や、無駄毛処理器具の使用中に、鏡に映る範囲が意図せずに変更されてしまうことを防止できる。すなわち、無駄毛処理器具用鏡と、無駄毛処理器具のフィット性を向上させることで一体的な操作を確保できることから、互いが組み合わさることで保持力が増すものとすることが好ましい。
【００７３】
具体的には、図１１に示される無駄毛処理器具１２０は、電動シェーバーであって、先端部３１ｂと持ち手１２０ｅの間に軸部１２０ｂが設けられている。軸部１２０ｂにリング状の凸部１２１が複数形成され、隣り合う当該リング状の凸部１２１間に凹部が形成され、当該凸部と凹部が一体的に形成されている。当該リング状の凸部１２１が形成されることで、無駄毛処理器具用鏡の回動角度調整部（挿通具）に挿通させて、露出させる先端部を調節すると、リング状の凸部が挿通具と干渉し、所定の回動をさせ易くなる。
【００７４】
なお、リング状の凸部、及び凹部の数は、この例に限定されるものではなく、少なくとも１つ以上設けられればよい。さらに、たとえば、外周に、当該リング状凸部及び凹部が一体的に形成された筒状部材を用意し、無駄毛処理器具に装着して、図１１の無駄毛処理器具として構成してもよい。さらに、図示しないが、当該リング状の凸部を、無駄毛処理器具に設ける代わりに、無駄毛処理器具用鏡における挿通部の内壁に設けてもよい。さらに、無駄毛処理器具及び無駄毛処理器具用鏡の、それぞれに上記のリング状凸部又は凹部を設けてもよい。
【００７５】
同様に、図１２に示される無駄毛処理器具１２０は、電動シェーバーであって、先端部１２０ａと持ち手１２０ｅの間に軸部１２０ｂが設けられており、当該軸部１２０ｂにリング状の凸部１２２が複数形成される。そのため、隣り合う当該リング状の凸部１２２間に凹部が形成されている。当該リング状の凸部１２２が形成されることで、無駄毛処理器具用鏡の回動角度調整部（挿通具）に挿通させて、露出させる先端部を調整すると、リング状の凸部が挿通具と干渉し、所定の回動をさせ易くなる。
【００７６】
なお、リング状の凸部の数は、この例に限定されるものではなく、少なくとも１つ以上設けられればよい。さらに、当該リング状凸部を有する部材を用意し、無駄毛処理器具に装着して、図１２の無駄毛処理器具として構成してもよい。さらに、図示しないが、当該リング状の凸部を、無駄毛処理器具に設ける代わりに、無駄毛処理器具用鏡における挿通部の内壁に設けてもよい。さらに、無駄毛処理器具及び無駄毛処理器具用鏡に、それぞれ上記のリング状凸部を設けてもよい。
【００７７】
同様に、図１３に示される無駄毛処理器具１２０では、電動シェーバーの軸部１２０ｂであって、刃部１２０ｃを有する側の面と、刃部１２０ｃと反対側の面との２つの領域が波型形状１２３に形成された例である。なお、波型形状に形成される面の箇所や、その波型形状の数は、この例に限定されるものではなく、少なくとも１つ以上設けられればよい。さらに、外周面が波状に形成された筒状部材を用意し、無駄毛処理器具に装着して、図１３の無駄毛処理器具として構成してもよい。さらに、図示しないが、当該波型形状を無駄毛処理器具に設ける代わりに、無駄毛処理器具用鏡における挿通部の内壁に設けてもよい。さらに、無駄毛処理器具及び無駄毛処理器具用鏡に、それぞれ上記の波型形状を設けてもよい。
【００７８】
同様に、図１４に示される無駄毛処理器具１２０では、電動シェーバーの軸部１２０ｂに小突起部１２４が周回状に形成された例である。なお、小突起部の数や、軸部に対して周回の数は、この例に限定されるものではなく、小突起部の数が少なくとも１つ以上、小突起部の周回数が１周り程度以上設けられれば良い。さらに、小突起部の数が規則的に周上に配置されるものに限らず、断続的に周上に配置されるもの、不規則に周上又は周上に限らず軸部の一定の領域に配置されるものでも良い。さらに、外周面に小突起部が形成された筒状部材を用意し、無駄毛処理器具に装着して、図１４の無駄毛処理器具として構成してもよい。さらに、図示しないが、当該小突起部を無駄毛処理器具に設ける代わりに、無駄毛処理器具用鏡における挿通部の内壁に設けてもよい。さらに、無駄毛処理器具及び無駄毛処理器具用鏡に、それぞれ上記の小突起部を設けてもよい。
【００７９】
同様に、図１５に示される無駄毛処理器具１２０では、シェーバーの軸部１２０ｂに網目状部材１２５が設けられている例である。なお、網目状部材の網目の数や、網目の寸法、網目の形状、網目の材質等はこの例に限定されるものではなく、網目の数が少なくとも１つ以上、網目状部材の周回数が１周り程度以上設けられれば良い。さらに、網目の数や網目の形状が規則的に周上に配置されるものに限らず、断続的に周上に配置されるもの、不規則に周上又は周上に限らず軸部の一定の領域に配置されるものでも良い。さらに、外周面に網目が形成された又は網目状部材が設けられた筒状部材を用意し、無駄毛処理器具に装着して、図１５の無駄毛処理器具として構成してもよい。さらに、図示しないが、当該網目状部材を無駄毛処理器具に設ける代わりに、無駄毛処理器具用鏡における挿通部の内壁に設けてもよい。さらに、無駄毛処理器具及び無駄毛処理器具用鏡に、それぞれ上記の小突起部を設けてもよい。
【００８０】
図１１、図１２に示される無駄毛処理器具１２０では、リング状の凸部１２１，１２２が上述した緩衝部材で構成されているとよい。さらに、図示しないが、当該無駄毛処理器具において、リング状の凸部を緩衝部材で構成する代わりに、無駄毛処理器具用鏡における挿通部の内壁にリング状の凸部を緩衝部材として設けてもよい。さらに、無駄毛処理器具及び無駄毛処理器具用鏡に、それぞれリング状の凸部としての緩衝部材を設けてもよい。図１３に示される無駄毛処理器具１２０では、波型形状１２３が緩衝部材で構成されているとよい。さらに、図示しないが、当該無駄毛処理器具において、波型形状を緩衝部材で構成する代わりに、無駄毛処理器具用鏡における挿通部の内壁に波型形状を緩衝部材として設けてもよい。さらに、無駄毛処理器具及び無駄毛処理器具用鏡に、それぞれ波型形状としての緩衝部材を設けてもよい。
【００８１】
図１４に示される無駄毛処理器具１２０では、小突起部１２４が緩衝部材で構成されているとよい。さらに、図示しないが、当該無駄毛処理器具において、小突起部を緩衝部材で構成する代わりに、無駄毛処理器具用鏡における挿通部の内壁に小突起部を緩衝部材として設けてもよい。さらに、無駄毛処理器具及び無駄毛処理器具用鏡に、それぞれ小突起部としての緩衝部材を設けてもよい。図１５に示される無駄毛処理器具１２０では、網目状部材１２５が緩衝部材で構成されているとよい。さらに、図示しないが、当該無駄毛処理器具において、網目状部材を緩衝部材で構成する代わりに、無駄毛処理器具用鏡における挿通部の内壁に網目状部材を緩衝部材として設けてもよい。さらに、無駄毛処理器具及び無駄毛処理器具用鏡に、それぞれに網目状部材としての緩衝部材を設けてもよい。ただし、これらの例に限定されるものではない。
【００８２】
さらに、無駄毛処理器具用鏡又は鏡付き無駄毛処理器具における無駄毛処理器具に光源が備えられていることが好ましい。光源を備えることにより、無駄毛を見つけ易くなり、無駄毛処理の処理効率を向上させることができる。上記光源は光を無駄毛に当てることができるものであれば、特に限定されるものではなく、ＬＥＤなど広く公知の光源を用いることができる。
【００８３】
［４］使用方法：
無駄毛処理器具用鏡１００に基づいてその使用方法を以下に説明する。まず、無駄毛処理器具用鏡１００と、無駄毛処理器具１２０を用意する。無駄毛処理器具１２０の軸部１２０ｂを、回動角度調整部２０の挿通具２１及び鏡本体１０の挿通部１３に挿通させて、無駄毛処理器具用鏡１００に無駄毛処理器具１２０を装着する。
【００８４】
次に、鼻毛を処理する場合には、無駄毛処理器具１２０のスイッチを入れ、無駄毛処理器具用鏡１００の角度を手で調節しながら鏡本体１０の鏡面１１を見て、鼻孔に無駄毛処理器具１２０を挿入して鼻毛の処理を行う。耳毛の処理を行う場合には、別途、鏡等を用意し、この鏡に無駄毛処理器具用鏡１００の鏡面１１を映し、無駄毛処理器具用鏡１００の角度を調節しながら、耳に無駄毛処理器具１２０を挿入して耳毛の処理を行う。なお、その他の無駄毛の処理についても同様に行うことができる。
【００８５】
無駄毛処理が終了した後は、スイッチを切り、無駄毛処理器具用鏡１００から、無駄毛処理器具１２０を取り外して、作業を終了する。なお、市販の無駄毛処理器具を用いて、無駄毛処理を行う場合には、当該市販の無駄毛処理器具の軸に応じた挿通具の大きさのものを選択し、上記と同様の作業を行う。
【産業上の利用可能性】
【００８６】
本発明の無駄毛処理器具用鏡、及び鏡付き無駄毛処理器具は、顔などの産毛、鼻毛、耳毛、脇の下の毛等の無駄毛処理に広く用いることができ、無駄毛処理を行う際に、無駄毛を見つけ易く、且つ無駄毛処理を行い易いものである。
【符号の説明】
【００８７】
１，１００，１０１，１０２：無駄毛処理器具用鏡、１０：鏡本体、１１：鏡面、１２：背面、１３：挿通部、２０：回動角度調整部、２１：挿通具、２２：支持部、２２ａ：支持部凸部、３０：回動角度調整部、３１：挿通具、３１ａ：凸部、３１ｂ：先端部、３２：ヒダ部、１００ａ：（無駄毛処理器具の）先端部、１２０：無駄毛処理器具、１２０ａ：（無駄毛処理器具の）先端部、１２０ｂ：（無駄毛処理器具の）軸部、１２０ｃ：（無駄毛処理器具の）刃部、１２０ｄ：（無駄毛処理器具の）頭頂部、１２０ｅ：持ち手、１２１：リング状の凸部、１２２：リング状の凸部、１２３：波型形状、１２４：小突起部、１２５：網目状部材、２００：鏡付き無駄毛処理器具。
【図１】
2017127465.tif 000003
【図２】
2017127465.tif 000004
【図３】
2017127465.tif 000005
【図４】
2017127465.tif 000006
【図５】
2017127465.tif 000007
【図６】
2017127465.tif 000008
【図７】
2017127465.tif 000009
【図８】
2017127465.tif 000010
【図９】
2017127465.tif 000011
【図１０】
2017127465.tif 000012
【図１１】
2017127465.tif 000013
【図１２】
2017127465.tif 000014
【図１３】
2017127465.tif 000015
【図１４】
2017127465.tif 000016
【図１５】
2017127465.tif 000017